(57)【要約】プラスチックで被覆した板紙製のカートンブランクはカートンの底部の端閉鎖体を形成する端部分を包含し、前記端部分は第１、第２、第３及び第４の端パネル（６，７，８，９）を包含し、これらの端パネルのうちの前記第１及び第３の端パネル（６，８）は前記端閉鎖体の外側パネル（６，８）を形成すると共に、前記第２及び第４の端パネル（７，９）は前記端閉鎖体の内側パネル（７，９）を形成し、前記第３の端パネル（８）の自由端部分（１２）はその中央部分を中心にして左右対称に両端部が切欠きされて、中央舌状片（１７）を残し、前記第２及び第４の端パネル（７，９）の自由端部分（１１，１３）はそれぞれ前記第３の端パネル（８）に隣接する、それらの片側が切欠きされて、それぞれの切欠部（３６，４０）を形成し、前記切欠部（３６，４０）はそれらのそれぞれの斜め縁（３２，３４）を有し、これらの斜め縁（３２，３４）は、前記舌状片（１７）から離れて前記切欠部（３６，４０）のそれぞれの隣接する縁（４２，４４）に関して斜めに形成されていると共に、互いに関して外向きに分かれている。
2010531787.tif 000002
【特許請求の範囲】
【請求項１】
プラスチックで被覆した板紙製のカートンブランクであって、それぞれスコア線を介して連接されていると共にカートンの端閉鎖体を形成する端部分に連接されている第１、第２、第３及び第４の胴パネル（１，２，３及び４）から成る第１の一連のパネルを包含し、前記端部分が他のスコア線を介してそれぞれの前記胴パネル（１〜４）に連接されている第１、第２、第３及び第４の端パネル（６，７，８及び９）から成る第２の一連のパネルを包含し、前記第２の一連のパネルのうちの前記第１及び第３の端パネル（６，８）が前記端閉鎖体の外側パネル（６，８）を形成すると共に、前記第２及び第４の端パネル（７，９）が前記端閉鎖体の内側パネル（７，９）を形成し、実質的に二等辺三角形であって、それぞれの底辺として前記第２及び第４の胴パネル（２，４）との境界部にスコア線を有するスコア線（１４，１８）が前記第２及び第４の端パネル（７，９）に形成されて、これらの第２及び第４の端パネル（７，９）を前記カートンの内部に向かって折り曲げることができるようにし、前記第１、第２、第３及び第４の端パネル（６〜９）がそれぞれの自由端部分（１０，１１，１２，１３）を有し、前記第２、第３及び第４の端パネル（１１，１２，１３）の前記自由端部分（１１，１２，１３）が前記第１、第２、第３及び第４の端パネル（６〜９）から成る前記第２の一連のパネルの長手方向へ延びている軟弱線（２０，３０，１６）を有すると共に、前記第１の端パネル（６）の前記自由端部分（１０）が他の前記自由端部分（１１，１２，１３）よりも長く外向きに突出し、前記第３の端パネル（８）の前記自由端部分（１２）はその中央部分を中心にして左右対称に両端部が切欠きされて、中央の舌状片（１７）を残し、前記第２及び第４の端パネル（７，９）の前記自由端（１１，１３）はそれぞれ前記第３の端パネル（８）に隣接する、それらの片側が切欠きされて、それぞれの切欠部（３６，４０）を形成しているカートンブランクにおいて、前記切欠部（３６，４０）がそれらのそれぞれの斜め縁（３２，３４）を有し、これらの斜め縁（３２，３４）が、前記舌状片（１７）から離れて前記切欠部（３６，４０）のそれぞれの隣接する縁（４２，４４）に関して斜めに形成されていると共に、互いに関して外向きに分かれていることを特徴とするカートンブランク。
【請求項２】
請求項１記載のカートンブランクにおいて、前記隣接する縁（４２，４４）のそれぞれに対しての前記斜め縁（３２，３４）のそれぞれの角度が１２０度と１５０度との間であることを特徴とするカートンブランク。
【請求項３】
請求項２記載のカートンブランクにおいて、前記角度の各々が１３５度あることを特徴とするカートンブランク。
【請求項４】
請求項１〜３のいずれか一項に記載のカートンブランクにおいて、前記斜め縁（３２，３４）の各々が曲線状に形成されていることを特徴とするカートンブランク。
【請求項５】
請求項１〜４のいずれか一項に記載のカートンブランクにおいて、前記端部分が前記カートンの底部端閉鎖体を形成する底部端部分であることを特徴とするカートンブランク。
【請求項６】
プラスチックで被覆した板紙製のカートンの頂部又は底部の端閉鎖体であって、相対向する２つの内方及び外方の外側パネル（８，６）と、それぞれ二等辺三角形の形状のスコア線（１４，１８）を有して相対向する２つの内側フラップ（７，９）と、４つの前記パネル（６〜９）のそれぞれ端部分（１０，１１，１２，１３）であって、前記外方の外側パネル（６）の端部分（１０）が他の端部分（１１，１２，１３）よりも長く突出していると共に、前記内方の外側パネル（８）の端部分（１２）が中央の舌状片（１７）で終わっている、４つの端部分（１０，１１，１２，１３）と、前記内方の外側パネル（８）に隣接する、２つの前記内側パネル（７，９）の前記端部分（１１，１３）のそれぞれの両側部で２つの前記内側パネル（７，９）の前記端部分（１１，１３）に形成されている切欠部（３６，４０）とを包含する、カートンの端閉鎖体において、前記切欠部（３６，４０）が前記端閉鎖体を完成した状態で前記舌状片（１７）に隣接して位置するようにされている、それらのそれぞれの斜め縁（３２，３４）を有し、これらの斜め縁（３２，３４）が、前記切欠部（３６，４０）のそれぞれの隣接する縁（４２，４４）に関して斜めに形成されていると共に、互いに関して外向きに分かれていることを特徴とする、カートンの端閉鎖体。
【請求項７】
請求項６記載のカートンの端閉鎖体において、前記隣接する縁（４２，４４）のそれぞれに対しての前記斜め縁（３２，３４）のそれぞれの角度が１２０度と１５０度との間であることを特徴とする、カートンの端閉鎖体。
【請求項８】
請求項７記載のカートンの端閉鎖体において、前記角度の各々が１３５度であることを特徴とする、カートンの端閉鎖体。
【請求項９】
請求項６〜８のいずれか一項に記載のカートンの端閉鎖体において、前記斜め縁（３２，３４）の各々が曲線状に形成されていることを特徴とする、カートンの端閉鎖体。
【発明の詳細な説明】
【技術分野】
【０００１】
本発明は、容器の頂部又は底部の構造に関し、より詳細には、しかし排他的ではないが、最内側及び最外側の熱接着性及び遮湿性のプラスチック層を備えている板紙により形成される四角形の管状カートンに関する。
【背景技術】
【０００２】
プラスチックで被覆した板紙製のカートンの公知の頂部又は底部の構造の３つの例がＧＢ−Ａ−２，１７６，７６７の図面の図１〜図４に示されており、これらの図はまた本願の添付図面の図１〜図4として示されている。
【０００３】
図１において、カートンブランクの輪郭線内の実線は山折り部分を示し、また点線は谷折り部分を示している。
【０００４】
スコア線を介して連接されているサイドパネル１，２，３，４及び接合片５は、カートンの頂部を形成する頂部分（図示せず）に連接されていると共に、カートンの底部を形成する底部分に連接されている。底部分は、一組の相対向する外側底パネル６及び８と、一組の相対向する内側底パネル７及び９とにより形成されている。それぞれ底辺としてサイドパネル２及び４との境界部にスコア線を有している二等辺三角形状のスコア線１４及び１８が、カートンの内側への、それらの折り込みを可能にするために内側底パネル７及び９に形成されている。
【０００５】
また、端部分１０，１１，１２及び１３が、それぞれ、底パネル６，７，８及び９に連接されている。底パネル６の端部分１０は、折り曲げられることなしに、他の端部分１１，１２及び１３よりも長く下向きに突出している。底パネル８の端部分１２は、その中央部分を中心にして左右対称に両端部が切欠きされて、中央の舌状片１７を残している。また、底パネル７及び９の端部分１１及び１３は、それぞれ、底パネル８に隣接する、それらの片側が切欠されている。これらの端部分１１及び１３は、それぞれ、底パネル７及び９に形成した二等辺三角形状のスコア線１４及び１８の頂点から延びているスコア線１５及び１９と、上記頂点の各々から底パネル８に向かって延びているスコア線１６及び２０とを有する。スコア線１５及び１６はフラップ２３を形成し、またスコア線１９及び２０はフラップ２４を形成する。端部分１１及び１３の切欠部の幅は、これらの端部分１１及び１３の全体幅の２／５又はそれ以下である。
【０００６】
更に、底パネル８に内向きに切込んで形成した切欠部２６及び２７が舌状片１７の左右側に設けられ、また、スコア線３０がこれらの切欠部２６及び２７の最も深い切込み点間に直線状に形成されている。
【０００７】
カートンの底部を形成する前に、接合パネル５がサイドパネル１の内側に接合され、このようにして形成したフラットのスリーブがそれから頂部及び底部が開口した四角形の筒状の形にされる。底パネル６〜９をプレブレーキングした後、これらの底パネル６〜９の適当な部分が加熱されて、それらのプラスチック被覆物が溶融され、それから、図２に示されるように、底パネル７及び９が内向きに押圧されてスコア線１４及び１８で折り込まれ、折り込まれた端部分１１及び１３が端部分１０及び１２間に受け入れられ、底部の内面及び外面に加えた圧力により接合される。
【０００８】
一方では、舌状片１７が端部分１１−２３及び１３−２４の内側で１８０度折り曲げられる。スコア線１５，１６，１９，２０及び３０が１８０度の折り曲げのために設けられ、また強い力がこれらのスコア線に加えられるので、これらのスコア線は太目のスコア線とすることが望まれる。
【０００９】
図３に示されている例において、カートンブランクは異なる底部構造を有する。この例において、サイドパネル１〜５は図１及び図２に示される例とは異なって連接されているけれども、基本的には同じ底部構造が図１及び図２に示される例と同じようにカートンに設けられる。
【００１０】
図４は、図１〜図３に示される例が改良しようとした例を示す。この例において、底パネル８の舌状片１７’と残りの部分との間のスコア線３０’はスコア線１６及び２０と共通の直線上とされ、カートンの底部の形成中に底パネル６〜９を完全に内側に折り曲げた後に、スコア線３０’により形成した折り曲げ線がスコア線１６及び２０により形成した折り曲げ線のすぐ近くの内側に位置させられる。
【００１１】
上述したＧＢ−Ａ−２，１７６，７６７は、次のことを開示する。すなわち、舌状片１７’の折り曲げ線３０’が折り曲げ線１６及び２０と同一の線上に位置させられているときには、舌状片１７’には、底部をフラットにするために押圧する垂直方向の力のみならず、外側底パネル８に向かって押しやろうとする横方向の力が加えられ、その結果、舌状片１７’のつけ根の左右端に亀裂が生じ、これによりカートンに収容している液体が時々漏れ出ることがあった。そして、上述したＧＢ−Ａ−２，１７６，７６７は次のことを述べている。すなわち、切欠部２６及び２７が設けられ、舌状片１７が底パネル８の残りの部分の最外側縁のやや内側の位置で折り曲がることができるようにし、その結果、底部の閉鎖体を形成した状態では、スコア線３０により形成した折り曲げ線がスコア線１６及び２０により形成した折り曲げ線からずらされている。
【００１２】
しかしながら、以上述べた３つの公知の例のすべてにおいては、端閉鎖体を完成した状態で舌状片１７又は１７’に隣接して位置するようにされている主たる切欠部３６及び４０の縁３２及び３４が、それぞれの切欠部３６及び４０の、それぞれのすぐ直近に隣接する縁４２及び４４に対して垂直である。本発明者は、これらの四角形の切欠部はフラップ２３及び２４に隣接する三角形のサブパネルに追加の垂直方向への折り曲げを引き起こし、これらのフラップが意図したようにスコア線１６及び２０に沿って折り曲げられないものと確信している。
【発明の概要】
【００１３】
本発明の一態様によれば、プラスチックで被覆した板紙製のカートンブランクであって、それぞれスコア線を介して連接されていると共にカートンの端閉鎖体を形成する端部分に連接されている第１、第２、第３及び第４の胴パネルから成る第１の一連のパネルを包含し、前記端部分が他のスコア線を介してそれぞれの前記胴パネルに連接されている第１、第２、第３及び第４の端パネルから成る第２の一連のパネルを包含し、前記第２の一連のパネルのうちの前記第１及び第３の端パネルが前記端閉鎖体の外側パネルを形成すると共に、前記第２及び第４の端パネルが前記端閉鎖体の内側パネルを形成し、実質的に二等辺三角形であって、それぞれの底辺として前記第２及び第４の胴パネルとの境界部にスコア線を有するスコア線が前記第２及び第４の端パネルに形成されて、これらの第２及び第４の端パネルを前記カートンの内部に向かって折り曲げることができるようにし、前記第１、第２、第３及び第４の端パネルがそれぞれの自由端部分を有し、前記第２、第３及び第４の端パネルの前記自由端部分が前記第１、第２、第３及び第４の端パネルから成る前記第２の一連のパネルの長手方向へ延びている軟弱線を有すると共に、前記第１の端パネルの前記自由端部分が他の前記自由端部分よりも長く外向きに突出し、前記第３の端パネルの前記自由端部分はその中央部分を中心にして左右対称に両端部が切欠きされて、中央の舌状片を残し、前記第２及び第４の端パネルの前記自由端はそれぞれ前記第３の端パネルに隣接する、それらの片側が切欠きされて、それぞれの切欠部を形成しているカートンブランクにおいて、前記切欠部がそれらのそれぞれの斜め縁を有し、これらの斜め縁が、前記舌状片から離れて前記切欠部のそれぞれの隣接する縁に関して斜めに形成されていると共に、互いに関して外向きに分かれていることを特徴とするカートンブランクが提供される。
【００１４】
本発明の他の態様によれば、プラスチックで被覆した板紙製のカートンの頂部又は底部の端閉鎖体であって、相対向する２つの内方及び外方の外側パネルと、それぞれ二等辺三角形の形状のスコア線を有して相対向する２つの内側フラップと、４つの前記パネルのそれぞれ端部分であって、前記外方の外側パネルの端部分が他の端部分よりも長く突出していると共に、前記内方の外側パネルの端部分が中央の舌状片で終わっている、４つの端部分と、前記内方の外側パネルに隣接する、２つの前記内側パネルの前記端部分のそれぞれの両側部で２つの前記内側パネルの前記端部分に形成されている切欠部とを包含する、カートンの端閉鎖体において、前記切欠部が前記端閉鎖体を完成した状態で前記舌状片に隣接して位置するようにされている、それらのそれぞれの斜め縁を有し、これらの斜め縁が、前記切欠部のそれぞれの隣接する縁に関して斜めに形成されていると共に、互いに関して外向きに分かれていることを特徴とするカートンの端閉鎖体が提供される。
【００１５】
本発明によれば、望ましくない垂直折り曲げの形成を除去することができる。
【００１６】
それぞれの隣接する縁に対しての斜め縁の角度は、鋭角、すなわち、９０度と１８０度との間、有益には１２０度（直角＋直角の１／３）と１５０度（直角＋直角の２／３）との間、好適には１３５度（直角＋直角の１／２）である。更に、斜め縁は直線状とする必要がなく、曲線状に形成することができる。
【図面の簡単な説明】
【００１７】
【図１】折り曲げ組み立て前であってかつ外側から見た公知のカートンブランクの底部構造の公知の一例を示す平面図である。
【図２】図１の公知のカートンブランクからカートンの底部を形成する途中の状態を示す斜視図である。
【図３】カートンブランクの底部構造の公知の他の例を示す平面図である。
【図４】カートンブランクの底部構造の公知の更に他の例を示す平面図である。
【図５】本発明にしたがってカートンに形成されるブランクの、内面から見た平面図である。
【発明を実施するための形態】
【００１８】
本発明を明確に及び完全に開示するために、以下本発明の実施例について添付図面を形成して説明する。
【００１９】
図５を参照するに、図５に示されているカートンブランクは、次の点を除いては図１に示されているカートンブランクと実質的に同一であることを理解されよう。すなわち、相違点は、それぞれの主たる切欠部３６及び４０の、舌状片１７から離れて相対向する縁３２’及び３４’、すなわち、端閉鎖体を完成した状態で舌状片１７に隣接して位置するようにされている、切欠部３６及び４０の縁３２’及び３４’が、切欠部３６及び４０の隣接する縁４２及び４４に対して斜めに、本例ではこれらの縁４２及び４４に対して４５度（直角の半分）で斜めにされていると共に、互いに向かって外向きに（すなわち、カートンブランクの中間部から離れて）分かれている。縁３２’及び３４’と縁４２及び４４との間にそれぞれこのような斜め縁を設けることにより、鋭い直角のコーナ部が除去され、フラップ２３’及び２４’が所望したようにそれらの水平方向にスコア縁１６及び２０に沿って折り曲がることを明らかに助長せしめ、これにより、上述した望ましくない垂直折り曲げの形成を除去する。
【図１】
2010531787.tif 000003
【図２】
2010531787.tif 000004
【図３】
2010531787.tif 000005
【図４】
2010531787.tif 000006
【図５】
2010531787.tif 000007
【国際調査報告】
2010531787.tif 000008
2010531787.tif 000009
2010531787.tif 000010